(57)【要約】ねじまたはボルトなどの多様なコネクタおよび／または固定要素の、確実な保持、駆動挿入、および取り外しのために、ドライバツール器具が提供される。これらのドライバ装置は、多くの分野での多様な用途に利用可能である。ドライバツールは、ある実施形態では、ドライバシャフトと、１つ以上のドライバ要素と、各ドライバ要素の１つ以上の固定特徴と、を含むことができ、１つ以上のドライバ要素は、ドライバシャフトから突出し、ドライバシャフトに近いベース領域およびドライバ領域から離れた遠位領域を有し、各ドライバ要素は、１つ以上の内壁を有するソケットへの挿入に適している１つ以上のピンを含む。【選択図】図１Ｄ
2016518260.tif 000002
【特許請求の範囲】
【請求項１】
ドライバツールであって、ドライバシャフトと、ドライバ要素と、少なくとも１つの固定特徴と、少なくとも１つのガイド特徴と、を備え、
ａ．ドライバシャフトは、固定部品を動かすための回転軸を有し、
ｂ．ドライバ要素は、ドライバシャフトから突出し、ドライバシャフトに近いベース領域およびドライバシャフトから離れた遠位領域を有し、ドライバ要素は、少なくとも１つの内壁を有するソケットへの挿入に適しているピンを含み、
ｃ．少なくとも１つの固定特徴は、それぞれのドライバ要素にあり、ドライバ要素の前記固定特徴は、個々にまたは集合的に、ばね力を使用してソケットの少なくとも１つの内壁と摩擦係合し、
前記固定特徴は、ばねクリップ機構を含み、ばねクリップ機構は、ピンまたはピンの部分に取り付けられた少なくとも１つの屈曲アームを形成し、屈曲アームは、（ｉ）外方向に延びる突出と、（ｉｉ）屈曲アームの本体の方向に回転軸の法線に対して鈍角を形成する外壁と、の少なくとも１つを有し、それぞれの固定特徴は、少なくとも１つのスリットを含み、少なくとも１つのスリットは、ドライバ要素にあり、ほぼ遠位方向に延び、屈曲アームの部分を受け、
少なくとも１つのガイド特徴は、前記屈曲アームに沿っており、ドライバ要素をソケットに案内し、屈曲アームをスリットの方へ圧迫し、ばね力を与え、少なくとも１つのスリットは、少なくとも１つのピンからドライバシャフトを部分的に通って延び、ピンには、その遠位端にソリッド先端部が備わっており、従ってドライバシャフトの近位端にもピンの遠位端にも及ばないスリットを提供し、それによって、固定部品を動かすのに必要なトルク力が、固定部品のソケットを係合させるための摩擦力から概ね切り離される、ドライバツール。
【請求項２】
ドライバツールであって、ドライバシャフトと、少なくとも１つのドライバ要素と、少なくとも１つの固定特徴と、１つ以上のガイド特徴と、を備え、
ａ．ドライバシャフトは、固定部品を動かすための回転軸を有し、
ｂ．少なくとも１つのドライバ要素は、ドライバシャフトから突出し、ドライバシャフトに近いベース領域およびドライバシャフトから離れた遠位領域を有し、前記ドライバ要素は、少なくとも１つの内壁を有するソケットへの挿入に適している少なくとも１つのピンを含み、
ｃ．少なくとも１つの固定特徴は、それぞれのドライバ要素にあり、ドライバ要素の固定特徴は、個々にまたは集合的に、ばね力を使用してソケットの少なくとも１つの内壁と摩擦係合し、
それぞれの固定特徴は、ピンまたはピンの部分に取り付けられた少なくとも１つの屈曲アームを含み、それぞれの屈曲アームは、（ｉ）外方向に延びる突出と、（ｉｉ）屈曲アームの本体の方向に回転軸の法線に対して鈍角を形成する外壁と、の少なくとも１つを有し、それぞれの固定特徴は、少なくとも１つのスリットを含み、少なくとも１つのスリットは、ドライバ要素にあり、ほぼ遠位方向に延び、屈曲アームの部分を受け、
ｄ．１つ以上のガイド特徴は、それぞれの屈曲アームに沿っており、ドライバ要素をソケットに案内し、屈曲アームを少なくとも１つのスリットの方へ圧迫し、ばね力を与え、少なくとも１つのスリットは、少なくとも１つのピンからドライブシャフトを部分的に通って延び、ピンには、ピンの遠位端にソリッド先端部が備わっており、従ってドライブシャフトの近位端にもピンの遠位端にも及ばないスリットを提供し、それによって、固定部品を動かすのに必要なトルク力が、固定部品のソケットを係合させるための摩擦力から概ね切り離される、ドライバツール。
【請求項３】
請求項１または２のドライバツールであって、ドライバツールは、少なくとも２つのドライバ要素を備えるマルチソケットツールであり、それぞれのドライバ要素は、概ね円形の断面を有するソケットに合うように構成されている、ドライバツール。
【請求項４】
請求項３のドライバツールであって、それぞれのドライバ要素は、中心、ピンを有し、ピンは、第１屈曲アームと第２屈曲アームの間に介在するスリットによって、第１屈曲アームと第２屈曲アームに分けられ、第１屈曲アームは、第２屈曲アームよりも回転軸に近く、回転軸に垂直な面のスリット方向は、ドライバ要素の位置でほぼ回転方向にある、ドライバツール。
【請求項５】
請求項４のドライバツールであって、ドライバ要素のベース近くの領域にある屈曲アーム間の分離距離は、ドライバ要素の遠位領域にある屈曲アーム間の分離距離よりも短い、ドライバツール。
【請求項６】
請求項３〜５のいずれかのドライバツールであって、それぞれの屈曲アームは、回転軸に垂直な面に断面を有し、それはほぼ円形セグメントであり、円形セグメントは、弦によって切り離される円形の領域によって定められる、ドライバツール。
【請求項７】
請求項３〜６のいずれかのドライバツールであって、屈曲アームの断面は、ドライバシャフトからの異なる距離で変わる、ドライバツール。
【請求項８】
請求項３〜７のいずれかのドライバツールであって、それぞれの屈曲アームは、ほぼ同じ形を有する、ドライバツール。
【請求項９】
請求項３〜８のいずれかのドライバツールであって、それぞれのドライバ要素は、ベースにある軸を遠位方向に有し、それはドライバシャフトの回転軸にほぼ平行である、ドライバツール。
【請求項１０】
請求項３〜９のいずれかのドライバツールであって、固定部品を動かすためのそれぞれのドライバ要素にかかる回転力は、ドライバ要素を固定部品に固定するための摩擦力にほぼ垂直である、ドライバツール。
【請求項１１】
請求項１または請求項２のドライバツールであって、ドライバツールは、単一のドライバ要素を含み、ドライバ要素は、固定部品のソケットに挿入するために非円形の形を有し、固定部品のソケットはほぼ同じ非円形の形を有し、ドライバシャフトの回転軸周りのドライバ要素の回転運動が、固定部品を回転させるようになっている、ドライバツール。
【請求項１２】
請求項１１のドライバツールであって、ドライバスリットは、回転軸に対して角度付けられる、ドライバツール。
【請求項１３】
請求項１２のドライバツールであって、屈曲アームは、突出を有し、突出は、屈曲アームの遠位領域近くに位置し、ドライバ要素の中心から離れるようにして延びる、ドライバツール。
【請求項１４】
請求項１０〜１３のドライバツールであって、ドライバ要素の断面は、正六角形を一般に有する、ドライバツール。
【請求項１５】
請求項１０〜１４のドライバツールであって、ドライバ要素の断面は、ガイド特徴およびスリットを除き、ほぼ一様である、ドライバツール。
【請求項１６】
請求項１０〜１５のドライバツールであって、ドライバ要素は、垂直スルースリット部および長手方向スルースリット部を含み、屈曲アームを定め、屈曲アームはばねクリップである、ドライバツール。
【請求項１７】
請求項１６のドライバツールであって、垂直および長手方向スルースリット部の複数のセットは、複数の屈曲アームを定める駆動要素に組み込まれ、前記複数の屈曲アームのそれぞれは、ばねクリップである、ドライバツール。
【請求項１８】
請求項１〜１７のいずれかのドライバツールであって、ガイド特徴は、屈曲アームの前縁にある湾曲領域またはテーパーであり、ドライブ要素がソケットに挿入されるときに屈曲アームが内側にスリットの方へ自動的に圧迫されるように位置する、ドライバツール。
【請求項１９】
プロセスであって、
ａ．請求項１〜１８のいずれかのドライバツールと、少なくとも１つのソケットを有する固定部品と、を提供するステップと、
ｂ．ドライバツールの少なくとも１つのドライバ要素を、固定部品のソケットの１つに前記ドライバ要素を挿入することによって、係合させるステップと、
ｃ．ドライバツールを、固定部品が回転してそれが結合する部品に入るように、回転させるステップと、
ｄ．ドライバツールを固定部品から外すステップと、
を含み、
係合させるステップは、屈曲アームをスリットの方へ圧迫するステップを含み、ドライバ要素がソケットに収まるようになっており、屈曲アームは、ソケットの壁に対してばね力を作り出す、プロセス。
【請求項２０】
請求項１９のプロセスであって、ドライバツールを回転させるステップは、ソケットのそれぞれの内壁に駆動力を作り出し、駆動力はばね力に垂直である、プロセス。
【請求項２１】
請求項１９または２０のプロセスであって、屈曲アームは、固定部品からドライバツールが外れることによって、最初の位置に戻る、プロセス。
【請求項２２】
請求項１９〜２１のいずれかのプロセスであって、固定部品は、シャフトと底壁とを有するヘッドレスねじであり、底壁は、固定部品の対応するソケットへのそれぞれのドライバ要素の挿入の深さを制限する、プロセス。
【発明の詳細な説明】
【技術分野】
【０００１】
本発明は、概してドライバツール器具に関し、より具体的には、多様なコネクタおよび／または固定要素の保持、駆動挿入、および取り外しのための改良された手段および方法に関する。
【背景技術】
【０００２】
Ｇｏｔｔｌｉｅｂ＆Ｃａｒｒｏｌｌによる特許文献１は、駆動要素を有する駆動ツールを開示し、駆動要素の設計は、駆動要素の先端まで広がる間隙またはスリットによって分けられた方形外周断面を有する２つの離れたジョーの一対を備え、それは固定／ねじ要素のヘッド部にあるソケットに直接係合しようとする。この従来技術の２つのジョー間のこの間隙またはスリットは、ジョーのそれぞれに平行な軸でカットされている。２つのジョーは、それぞれのジョーの遠位端がジョーの近位端から収束するように先細に形作られ、それらがねじ／ボルトのソケットに挿入されたときに、２つの先細ジョーが２つのジョーとソケットの間の開放角度を作りながらさらに互いの方へ収束（圧迫）するようになっている。従って、この従来技術は、技術的観点から著しく欠陥のある設計を教示し、それは実際にねじ／ボルトのソケットにあるその駆動要素のジョーの十分な把持力（保持）を提供しない。
【０００３】
上記のように、引用した従来技術のドライバツールの駆動要素は、また特に２つに限られたおよび２つのみのジョーであり、前記のジョーの一対は、多角形のソケットへの挿入のために方形外周断面形状に限られている。
【０００４】
上記のように、改良されたドライバツールの駆動要素は、ｉ．ねじ／ボルトの（ヘッドにある）ソケットに最初に直接（摩擦）係合するときにも、ｉｉ．ねじ／ボルトをその目的部位に動かす（ねじ込む）ときにも、２つの応力を受ける。
【先行技術文献】
【特許文献】
【０００５】
【特許文献１】米国特許出願第２００５／０１２０８３８号明細書
【発明の概要】
【発明が解決しようとする課題】
【０００６】
引用した従来技術のドライバ設計の上記のような技術解析は、ｉ．異なるねじ／ボルトの複数のソケットへの２つの離れたジョーの一対の挿入、およびｉｉ．この従来技術設計による前記ねじ／ボルトの駆動が、ねじ／ボルトのソケットへの挿入によりこのドライバツールの摩擦係合が失われることと、目的部位に前記ねじ／ボルトを入れようとするときにこのドライバツールの駆動要素のジョーの一対の永久的な崩壊と、をもたらすことを明らかにしている。
【課題を解決するための手段】
【０００７】
再使用可能なツール装置は、ねじまたはボルトなどの多様なコネクタおよび／または固定要素の確実な把持および駆動のために提供される。これらのツール装置は、各種の大きさおよび長さのキットで製造でき、多くの分野で多様な用途に利用できる。
【０００８】
ある実施形態では、ドライバツールが提供され、ドライバツールは、固定部品を動かすための回転軸を有するドライバシャフトと、１つ以上のドライバ要素と、それぞれのドライバ要素の１つ以上の固定特徴と、を含み、１つ以上のドライバ要素は、ドライバシャフトから突き出ており、ドライバシャフトに近いベース領域と、ドライバシャフトから離れた遠位領域と、を有し、それぞれのドライバ要素は、１つ以上の内壁を有するソケットへの挿入に適している１つ以上のピンを含み、ドライバ要素の固定特徴は、個々にまたは集合的に、ばね力を使用してソケットの１つ以上の内壁と摩擦係合し、それぞれの固定特徴は、１つ以上の屈曲アームを含み、１つ以上の屈曲アームは、ピンまたはピンの部分に取り付けられ、それぞれの屈曲アームは、外方向に延びる突出を有しおよび／または屈曲アームの本体の方向に回転軸の法線に対して鈍角を形成する外壁を有し、それぞれの固定特徴は、１つ以上のスリットを含み、１つ以上のスリットは、ドライバ要素にあり、ほぼ遠位方向に延び、屈曲アームの部分を受け、１つ以上のガイド特徴は、それぞれの屈曲アームに沿っており、ドライバ要素をソケットに案内し、屈曲アームをスリットの１つの方へ圧迫し、ばね力を与え、ドライバツールは、複数のドライバ要素を含み、または非円形の形を有するドライバ要素を含み、固定特徴は、固定部品を動かすのに必要なトルク力が、固定部品のソケットを係合させるための摩擦力から概ね切り離されるように、配置される。
【０００９】
さらなる実施形態では、ドライバツールは、２つ以上のドライバ要素を備えるマルチソケットツールであり、各ドライバ要素は、ほぼ円形断面を有するソケットに合うように構成される。
【００１０】
さらなる実施形態では、それぞれのドライバ要素は、中心、ピンを有し、ピンは、第１屈曲アームと第２屈曲アームの間に介在するスリットによって、第１屈曲アームと第２屈曲アームに分けられる。第１屈曲アームは、第２屈曲アームよりも回転軸に近く、回転軸に垂直な面のスリット方向は、ドライバ要素の位置でほぼ回転方向にある。
【００１１】
さらなる実施形態では、ドライバ要素のベース近くの領域にある屈曲アーム間の分離距離は、ドライバ要素の遠位領域にある屈曲アーム間の分離距離よりも、短い。
【００１２】
さらなる実施形態では、ドライバツールのそれぞれの屈曲アームは、回転軸に垂直な面に断面を有し、それはほぼ円形セグメントであり、円形セグメントは、弦によって切り離される円形の領域によって定められる。
【００１３】
さらなる実施形態では、屈曲アームの断面は、ドライバシャフトからの異なる距離で変わる。
【００１４】
さらなる実施形態では、それぞれの屈曲アームは、ほぼ同じ形を有する。
【００１５】
さらなる実施形態では、屈曲アームのベースにある軸は、遠位方向に配向し、それはドライバシャフトの回転軸にほぼ平行である。
【００１６】
さらなる実施形態では、固定部品を動かすためのそれぞれのドライバ要素にかかる回転力は、ドライバ要素を固定部品に固定するための摩擦力にほぼ垂直である。
【００１７】
さらなる実施形態では、ドライバツールは、単一のドライバ要素を含み、ドライバ要素は、固定部品のソケットに挿入するために非円形の形を有し、固定部品のソケットはほぼ同じ非円形の形を有し、ドライバシャフトの回転軸周りのドライバ要素の回転運動が、固定部品を回転させるようになっている。
【００１８】
さらなる実施形態では、ドライバスリットは、回転軸に対して角度付けられる。
【００１９】
さらなる実施形態では、屈曲アームは、突出を有し、突出は、屈曲アームの遠位領域近くに位置し、ドライバ要素の中心から離れるようにして延びる。
【００２０】
さらなる実施形態では、スリットは、ドライバシャフトに延びる。
【００２１】
さらなる実施形態では、ドライバ要素の断面は、正六角形を一般に有する。
【００２２】
さらなる実施形態では、ドライバ要素の断面は、ガイド特徴およびスリットを除き、概ね一様である。
【００２３】
さらなる実施形態では、ドライバ要素は、垂直スルースリット部および長手方向スルースリット部を含み、屈曲アームを定め、屈曲アームは、ばねクリップである。
【００２４】
さらなる実施形態では、垂直および長手方向スルースリット部の複数のセットは、複数の屈曲アームを定める駆動要素に組み込まれ、複数の屈曲アームのそれぞれは、ばねクリップである。
【００２５】
さらなる実施形態では、ガイド特徴は、屈曲アームの前縁にある湾曲領域またはテーパーであり、ドライブ要素がソケットに挿入されるときに屈曲アームが内側にスリットの方へ自動的に圧迫されるように位置する。
【００２６】
ある実施形態によると、プロセスが提供され、それは、ドライバツールと、少なくとも１つのソケットを有する固定部品と、を提供することと、ドライバツールの１つ以上のドライバ要素のそれぞれを、それぞれのドライバ要素を固定部品のソケットの１つに挿入することによって、係合させることと、ドライバツールを、固定部品が回転するおよび／またはそれが結合する部品に入るように、回転させることと、ドライバツールを固定部品から外すことと、を含み、係合のステップは、屈曲アームをスリットの方へ圧迫するステップを含み、ドライバ要素がソケットに収まるようになっており、屈曲アームは、ソケットの壁に対してばね力を作り出す。
【００２７】
ある実施形態では、ドライバツールを回転させるステップは、ソケットのそれぞれの内壁に駆動力を作り出し、駆動力は、ばね力に垂直である。
【００２８】
さらなる実施形態では、屈曲アームは、固定部品からドライバツールが外れることによって、最初の位置に戻る。
【００２９】
さらなる実施形態では、固定部品は、シャフトおよび底壁を有するヘッドレスねじであり、底壁は、固定部品の対応するソケットへのそれぞれのドライバ要素の挿入の深さを制限する。
【００３０】
なおさらなる実施形態によると、ドライバツールが提供され、ドライバツールは、ドライバシャフトと、ドライバ要素と、１つ以上の固定特徴と、１つ以上のガイド特徴と、を含むことができ、ドライバシャフトは、固定部品を動かすための回転軸を有し、ドライバ要素は、ドライバシャフトから突出し、ドライバシャフトに近いベース領域およびドライバシャフトから離れた遠位領域を有し、ドライバ要素は、１つ以上の内壁を有するソケットへの挿入に適している１つ以上のピンを含み、１つ以上の固定特徴は、それぞれのドライバ要素にあり、ドライバ要素の固定特徴は、個々にまたは集合的に、ばね力を使用してソケットの１つ以上の内壁と摩擦係合し、それぞれの固定特徴は、ばねクリップ機構を含み、ばねクリップ機構は、ピンまたはピンの部分に取り付けられた屈曲アームを形成し、屈曲アームは、外方向に延びる突出を有しおよび／または屈曲アームの本体の方向に回転軸の法線に対して鈍角を形成する外壁を有し、それぞれの固定特徴は、１つ以上のスリットを含み、１つ以上のスリットは、ドライバ要素にあり、ほぼ遠位方向に延び、屈曲アームの部分を受け、１つ以上のガイド特徴は、前記屈曲アームに沿っており、ドライバ要素をソケットに案内し、屈曲アームをスリットの方へ圧迫し、ばね力を与える。
【００３１】
本発明による、システム、器具、および方法は、図面および以下の説明を参照することでより良く理解することができ、当然のことながら、これらの図は、説明のために与えられ、限定を意味しない。
【図面の簡単な説明】
【００３２】
【図１Ａ】逆の張力の従来技術のソケットドライバピン要素の側面透視図の略図である。
【図１Ｂ】ある実施形態による、例示的なソケットドライバピン要素の側面透視図の略図である。
【図１Ｃ】ある実施形態による、改善されたウェッジを含む例示的なソケットドライバピン要素の側面透視図の略図である。
【図１Ｄ】ある実施形態による、マルチソケットドライバツールの角度付きの透視図の略図である。
【図１Ｅ】ある実施形態による、２ドライバピンを含むマルチソケットドライバツールの頂部の近接側面透視図の略図である。
【図１Ｆａ】ある実施形態による、ダブルソケットボルトの底部側の略図である。
【図１Ｆｂ】ある実施形態による、ダブルソケットボルトの上部側の略図である。
【図１Ｇ】ある実施形態による、ダブルソケットボルトに連結された２ドライバピンを含むマルチソケットドライバツールの側面透視図の略図である。
【図１Ｈ】種々の実施形態による、フランジを限定するソケットドライバ要素の平面透視図の略図である。
【図１Ｉ】種々の実施形態による、フランジを限定するソケットドライバ要素の平面透視図の略図である。
【図１Ｊ】ある実施形態による、フランジを限定するソケットドライバ要素の高くした透視図の略図である。
【図２Ａ】ある実施形態による、ばねクリップドライバツールの側面透視図の略図である。
【図２Ｂ】ある実施形態による、ばねクリップドライバツールと関係するボルトの上面透視図の略図である。
【図２Ｃ】ある実施形態による、ばねクリップドライバツールの頂部の近接側面図の略図である。
【図２Ｄ】ある実施形態による、ばねクリップドライバツールの頂／側部の近接角度付き図の略図である。
【図２Ｅ】ある実施形態による、ばねクリップドライバツールの頂部の近接上面角度付き図の略図である。
【図２Ｆ】ある実施形態による、２つのばね機構を含むばねクリップドライバツールの頂部の側面図の略図である。
【図２Ｇ】ある実施形態による、２つのばね機構を含むばねクリップドライバツールの頂部の近接側面図の略図である。
【発明を実施するための形態】
【００３３】
当然のことながら、説明の簡潔さおよび明確さのために、図に示されている要素は、必ずしも原寸に比例して描かれていない。例えば、要素のいくつかの寸法は、明確さのために他の要素に対して誇張されることがある。さらに、適切であると考えられる場合、符号は、図面間で繰り返されることがあり、対応するまたは類似した要素を一連の図にわたって示す。
【００３４】
以下の説明は、当業者が、特定の用途およびその条件との関係において発明を行うおよび使用することができるように、提示される。記述される実施形態への様々な変更が、当業者には明らかであり、ここに定められる一般原理は、他の実施形態に適用されることができる。従って、本発明は、特定の実施形態に限定されるものではない。
【００３５】
再使用可能なドライバツールによる複数の固定／コネクタ要素の確実な把持は、これらの同じ要素が、目的ボア（ねじ山の付いたまたはねじ山のない）または何も用意されていない目的部位に、動かされる（ねじ込まれる）ことができ、そして、ドライバツールは、固定／コネクタ要素（ねじ／ボルト）から、それが挿入されている目的部位の固定／コネクタ要素の位置を何らかの形で変えることなく、迅速におよび簡単に外されることができるようになっていることは、工学的挑戦である。
【００３６】
当然のことながら、当技術分野で公知の上記のツールを改善する機能性を可能にするドライバツールは、固定／コネクタ要素のヘッド部または本体内に位置する固定／コネクタ要素のソケットへのその挿入を可能にする設計の駆動要素を組み込む必要がある。
【００３７】
さらに当然のことながら、改善された駆動ツールは、その設計に駆動要素を組み込むべきであり、駆動要素は、固定／コネクタ要素へのドライバツールの十分で直接的な摩擦係合を提供するように、その外側側壁が、複数の固定／コネクタ要素のソケットの異なる内側側壁に複数回挿入されるときに、可能な限りぴったりと適合およびフィットするべきである。
【００３８】
さらに当然のことながら、改良されたドライバツールの駆動要素の設計は、多数の異なる固定／コネクタ要素（ねじ／ボルト）を動かす（ねじ込む）ためのドライバツールの繰り返される使用の後、固定／コネクタ要素のソケットへの駆動要素の係合（摩擦嵌合）を失わずに、ツールの複数使用（複数駆動）を可能にするような設計であるべきである。また、駆動要素は、必要な場合に、挿入されるまたは引き抜かれるねじまたはボルトからの迅速および簡単な取り外しを、ねじまたはボルト位置にほとんど影響を及ぼさずに、可能とするように設計されるべきである。
【００３９】
当然のことながら、改良されたドライバツールのドライバ要素は、それがねじ／ボルトのソケットに滑り込むことによって最初に（摩擦）係合するときに、およびねじ／ボルトをその目的部位に入れる（ねじ込む）ときに、応力下に置かれ得る。
【００４０】
本発明のある実施形態によると、数個のねじ／ボルトのごく少数のソケットへのドライバツールの挿入のための直接係合（摩擦嵌合）を維持する設計のドライバ要素は、価値が限られている。それは多数の固定／コネクタ要素（ねじ／ボルト）を置くときにユーザーに多くのそのようなツールを購入するよう求めるからである。このスナッグ係合を維持するのを可能にする設計のドライバツールは、ドライバツールが複数のねじ／ボルトを積極的に動かす（ねじ込む）のに使用されるときにも、ユーザーにとって価値が限られている。
【００４１】
本発明の非限定的実施形態は、１回限りのまたは再使用可能な改良されたドライバツールを含み、それは、下記のように、第１実施形態ではマルチソケットドライバツールを含むことができ、第２実施形態ではばねクリップドライバツールを含むことができる。
【００４２】
本発明の他の実施形態は、ハンドヘルド把持機構などの把持要素、または以下に記述されるものと異なる要素を、有することができる。
【００４３】
図１Ｄ‐Ｅおよび１Ｇ‐１Ｊについてこれから言及され、それらは、ある実施形態による、マルチソケットドライバツールおよび関係するボルトの種々の図の図解であり、固定／コネクタ要素のソケットへの駆動要素の係合が失われることのない、複数使用と、必要な場合に、挿入されるまたは引き抜かれるねじまたはボルトからの迅速な取り外しとを、ねじまたはボルト位置にほとんど影響を及ぼさずに、可能とするものである。
【００４４】
例えば、マルチソケットドライバツール１は、ヘッド部１ａ、フランジ１ｄを限定するシャフト本体、ドライバシャフト本体１ｃ、フランジ１ｅを限定するソケットドライバ要素、およびソケットドライバピン要素１ｂを含み、マルチソケットドライバツール１は、２つ以上のセットの（すなわち、複数の）屈曲アーム１ｂを特徴とし、その外周断面形状は、望ましくは実質的に円形であり、各ドライバピン要素１ｏの各セットにカットされたスリットを含み、各ドライバピン要素１ｏは、それぞれの固定／コネクタ要素の複数のソケットの付いたヘッドの別々のソケット（その断面は望ましくは対応して円形である）に滑り込む。図１Ｃの一実施形態に見られるように、ソケットドライバピン要素スリット１ｆは、どのように各スリットが分岐角度でドライバピンの各ペアの各半分部分に意図的にカットされることができるかを示している。各マルチドライバピン要素１ｏは、各屈曲アーム１ｂが互いから分岐するように意図的に切り出される。これらの分岐する係合要素がその対応するソケットに挿入されるとき、各分岐角度スリットによって、ドライバピン要素のそれぞれが永久的に崩壊することなく、屈曲アーム外側側壁の各セットが、（各ピンの各屈曲アームのばね作用を介して）各ねじ／ボルトの複数のソケットの付いたヘッドの別々の対応する各ソケットの内部側壁に、別々に摩擦係合できる。
【００４５】
一般に、ピン要素１ｏは、フランジ１ｅを限定するソケットドライバ要素に垂直に構成されることができるが、それらは角度付けられることもできる。一般に、スリット１ｆは、互いに平行に構成されることができる。例えば、図１Ｄに見られるように、各ピンは、図１Ｂに見られるように、その近位端からのその角度で分岐し、ねじ／ボルトのソケットに挿入されたときに結果として生じるばね張力が、望ましいくさび効果をもたらすようになっている。なおさらなる実施形態では、スリット１ｆは、図１Ｃで見られるように先細になることができる。
【００４６】
図１Ｅに見られるように、ドライバピン要素のスリット１ｊの遠位端の角度ベータ（β）、およびドライバ要素のスリット１ｍの近位端の角度アルファ（α）は、特定の必要な張力を生成するようにどちらも変更することができ、例えば、１ｊの角度が望ましくは１ｍの角度よりも大きく、ピン要素１ｏに変化する曲げ張力を作り出す。見られるように、一般に、使用されている材料の弾性物性に応じて、スプリット１ｆの構造に起因して、近位スリット角度αは、遠位スリット角度βよりも小さい。一般に、ピン１ｏは、金属またはポリマーで構成され、例えば可撓性金属または他の材料であり、曲げ性とバランスが取れた剛性を可能にし、使用されている材料の弾性物性に応じて制御された張力が生成されるのを可能にする。当然、ピンおよび／またはスリットは、種々の形状、形態、材料および位置で構成することができ、ドライバツール１の要求に応じて、必要な力を生成する。
【００４７】
図１Ａに見られるように、従来技術（Ｇｏｔｔｌｉｅｂ，特許文献１）は、ドライバ要素１ｏ’のドライバピン屈曲アーム１ｂ’（多角形のジョー）の収束するテーパ手段を使用し、屈曲アーム１ｂ’間のスリット１ｆは、くさび張力を発生させようとするが、この発明では、内向きまたはネガティブテーパが使用され、それは反作用的に働き、従って係合を妨げる。図１Ｂ‐１Ｃに見られるように、本発明のピン要素屈曲アーム１ｂおよび／またはスリット１ｆは、外向きまたはポジティブテーパを可能にするように構成することができ、くさび効果またはグリップ効果が生じるのを可能にし、ボルトまたはねじのグリップし易さを補助する。見られるように、従来技術と対照的に、ドライバピン要素１ｏの近位端（１０）の直径５は、ドライバピン要素１ｏの遠位端の直径６よりも概して小さい。さらに、ドライバピン要素１ｏの近位端１０から延びる仮想線８を使用して、ドライバピン要素１０遠位端の分岐領域７が、本発明では、係合するソケットに対してばね力を生じさせるものであり、従来技術のドライバピン要素１ｏ’遠位端の収束領域９とは対照的であり、それはそのドライバピン要素１ｏ’の収束する（反対の）張力を提供する。
【００４８】
公知の工学原理に従って、多角形ドライバおよびソケットの設計は、ねじ／ボルトのソケットに挿入されて前記のねじ／ボルトを動かすのに使用されるときに、多角形ドライバの全ての角に張力をもたらす。引用した従来技術は、その多角形ドライバおよびソケット設計により（ジョーの単一のペアおよび前記の２つのジョー間の単一のスリットにより）、上記の引用した工学原理を固守し、ドライバピン要素１ｏ’がねじ／ボルトの多角形ソケットに挿入されるときに、ドライバツールの多角形ジョーのそれぞれの全ての角に張力をもたらし、ねじ／ボルトをドライバツールで動かそうとするときに、トルク駆動方向１ｋに、圧縮張力および２つのジョー間のスリット１ｆの永久的な崩壊を引き起こす。
【００４９】
さらに、図１Ｄに見られるように、ヘッド部ドライバ要素１ｇは、ヘッド部ドライバ要素周溝１ｈを含むことができ、例えば可撓性“ｏ”リング要素（図示せず）であるリング固定機構の溝への挿入を可能にし、ヘッドがラチェット式レンチ（図示せず）に挿入されてレンチに固定される（すなわちレンチから落ちないように）ことができるようになっている。
【００５０】
図１Ｈに見られるように、本発明の非優先的実施形態のそれぞれのドライバピンのスリット１ｆの軸は、ピンの軸の周りの仮想内側円１ｎに対して平行に配向される。しかしながら、スリット１ｆのそのような配向は、ドライバツール１を使用してねじにねじ込むことによってトルク力駆動方向１ｋがピン１ｏのセットに作用するときに、ピン１ｏのセットに必然的な屈曲および損傷をもたらす。
【００５１】
図１Ｉ‐１Ｊに見られるように、本発明の各ドライバピン要素１ｏの各スリット１ｆの軸は、望ましくはピンの軸の周りの仮想内側円１ｎの接線方向に配向される（位置する）、またはシャフトの長さの方向に垂直であり、それは望ましくは同等にドライバツール１の駆動回転１ｋのトルク方向（運動）に垂直である。さらに、スリット１ｆ軸は、個々のピン要素１ｏにかかるトルク力負荷１ｋに正接するようにさらに配向される。屈曲アーム１ｂの各セット間のスリット１ｆのこれらの配向は、ドライバツール１がねじ／ボルトの対応するソケットに挿入されたときに、およびねじ／ボルトを動かすときにも、各ドライバピン１ｏの屈曲アーム１ｂの各ペアがなおも圧縮に対抗できるようにし、従ってピン１ｏの剛性および強度を高める。
【００５２】
各ドライバピン１ｏのスリットも、張力要求に応じて、プラスまたはマイナス５度まで互いにオフセットして相対的にまたは実質的に互いに平行になるようにさらに並べられる。スリット１ｆのそれぞれの互いに対するこの実質的に平行な配向は、ドライバピン１ｏの各セットが一致して働くことができるようにし、（ねじ／ボルトを動かすときの）複数のドライバピンのトルクによって生じる結果としての負荷圧縮力が、ドライバピン１ｏのそれぞれの２つの屈曲アームの過度の屈曲を引き起こさずに（ピンの過度の屈曲は後のねじ／ボルトをグリップする能力に支障を来す）、これらの同じ圧縮力が実際にはドライバピン１ｏの各セットの屈曲アームのそれぞれに大体均等に分布することを確実にするようになっている。
【００５３】
さらに当然のことながら、各ドライバピン１ｏが、望ましくはその位置で他のドライバピン１ｏに対してわずか５０ミクロンだけあるいはより少なく任意の方向に少しオフセットするように機械加工されることを考えると、この改良された設計は、各ドライバピン１ｏがねじ／ボルトの対応する各ソケットに挿入されたときに、ねじ／ボルトのさらなるウェッジ式グリップを作り出す。
【００５４】
トルク（Ｔ）＝２（Ｆ＊Ｌ）は、工学分野で知られている。この方程式は、駆動ツールの駆動トルク負荷が、２つのドライバピンセット間の中心点から各ドライバピンセットの中心までの長さ（距離）を乗じた力の２倍に等しいことを意味する（図１Ｅ参照）。従って、上記の本発明の設計は、ねじ／ボルトに係合して動かすための効率的なツールを提供する。
【００５５】
図１Ｉ‐１Ｊにも見られるように、２つのドライバピン要素１ｏ間の中心点１ｉは、中心点から各駆動ピン１ｏの中心までの距離１１をＬと定め、ドライバピン１ｏの角度の付いたカットされたスリットが含まれ、トルク１ｋの方向１ｎに駆動力を補助する抵抗を提供する。当然、他の設計要素、特徴または構成を使用可能である。
【００５６】
さらに当然のことながら、２つ以上のピン要素１ｏを、マルチソケットドライバツール１に組み込むことができ、ピン要素の各セットは、個々にねじ／ボルトのソケットの対応する数に係合する。
【００５７】
図１Ｆａ‐１Ｆｂに関し、複数のソケットを有するドライバツールは、ヘッドレスボルト／ねじ２および／または概して短いボルトまたは他の接続要素が用いられるときに、特に利点を見出すことができ、例えば、円形内部断面を有するねじまたはボルトソケット２ａ、底部曲面２ｂ、ソケットフロア２ｃ、望ましくはねじ山のないソケット内側側壁２ｄ、ねじ山の付いた外側側壁２ｅ、およびソケット上面２ｆを含むことができる。底部面２ｂは、ある実施形態では、ドライバツール要素／ピンのためのストッパまたは制限として機能することができる。底部面は、ほぼ平らであってよい、または湾曲してよい（例えば、凹状または凸状）。当然、他の形状、設計要素、特徴または構成を使用可能である。
【００５８】
上記の考察に基づき、本発明の特有のマルチソケットドライバピン要素の摩擦係合は、従って、複数のねじ／ボルトへの改良されたドライバツールの最初の摩擦係合によって、および目的部位に複数のねじ／ボルトを繰り返して動かす（ねじ込む）ことによって、繰り返される応力を受けるときに、引用した従来技術がそうであるように、永久的に崩れない。
【００５９】
この改良された設計によって、ねじ／ボルト２のヘッドにある非常に浅い深さの複数のソケットのこの改良されたドライバツール１による確実な摩擦係合も可能となる。これは、使用されるねじ／ボルトの長さが非常に短く、上面への標準的な深さのソケットの機械加工ができない場合に、非常に有用である（すなわち、図１Ｆに見られるように、この設計は、ヘッドレスであるねじに摩擦係合および非係合するのにも使用できる）。
【００６０】
マルチソケットドライバの各ピン要素の断面周囲外形は、ねじ／ボルトの対応する断面ソケット形状に挿入することができるように設計される必要がある。任意の形を用いることができるが、望ましくは、円形が用いられ得る。ある実施形態では、多角形および曲がった形を用いることができるが、六角形、長方形、および楕円形かもしれない。一般に、そのようなマルチソケットドライバは、多角形形状のドライバに比べて、製造がより簡単である。加えて、そのようなマルチソケットドライバは、多角形形状のドライバに比べて、ユーザーが複数のピンをソケットに位置決めするのに、概してはるかに精度を要求しない。その上、そのようなマルチソケットドライバは、望ましくは、公知の工学原理に従って、多角形ピンよりもより高い負荷力に持ちこたえるように設計される。
【００６１】
本発明のある実施形態によると、ばねクリップソケットドライバツールは、その駆動要素に組み込まれた内蔵成形ばね要素を特徴とし、駆動要素のメインシャフトは、その外周断面が円形または多角形であることができ、他の実施形態はクリップに類似していないかもしれないが、ばね要素の一般的形状は、クリップに類似している。クリップ状ばね要素は、望ましくは、図に示されているように、ばねクリップドライバツールの駆動要素の特定部分を通る特に配向された角度付きオープンスルースリットを切ることによって（例えばワイヤカットによって）形成される。角度付きスルースリットは、望ましくは、駆動要素の長さに沿って延びるように設計され、それは駆動要素の端部より前に終端する。この設計により、ねじ／ボルトのヘッドのソケットへの駆動要素のソリッドコア端部（ばね要素の特徴がない）の駆動係合が可能となり、摩擦係合要素（ばねクリップ要素）を駆動要素のこのソリッドコア端部駆動部から分けている。
【００６２】
図２Ａおよび２Ｃ‐２Ｅについてこれから言及され、それらは、ある実施形態による、ばねクリップドライバツールおよび関係するボルトの種々の図の図解であり、固定／コネクタ要素のソケットへの駆動要素の係合が失われることのない、ドライバツールの複数使用と、必要な場合に、挿入されるまたは引き抜かれるねじまたはボルトからの迅速な取り外しと、を可能とするものである。ばねクリップドライバツール３は、ドライバシャフト本体３ａ、ばねクリップ要素３ｂ、ソケットドライバ要素先端部３ｃ、ソケットドライバ係合要素３ｄ、スルースリット要素３ｅ、ドライバシャフト本体スルースリット部３ｆ、ばねクリップ長手方向スルースリット部３ｇ、ばねクリップ垂直スルースリット部３ｈ、およびばねクリップ突出バルジ部３ｉを含む。さらに、ある実施形態では、ばねドライバツール３は、ソケットドライバ要素傾斜先端３ｊ、ソケットドライバ底部面３ｋ、フランジ３ｌを限定するドライバシャフト本体、ヘッド部３ｍ、フランジ３ｎを限定するソケットドライバ、ばねクリップ外側側壁３ｏ、およびソケットドライバ先端側壁３ｐを含む。当然、他の設計要素、特徴または構成を使用可能である。
【００６３】
一般に、ばねクリップバルジ３ｉは、望ましくは、ばねクリップ外側側壁３ｏから材料を切り取ることによって形成され、バルジ３ｉを、３ｉが係合するソケットの直径内に完全に嵌合するように、スリット３ｇの高さよりも小さくし、前記のソケットに係合するときに過度の曲げ力を回避するようになっている。また３ｉが係合するソケットで崩壊する間、実質的に最小張力がばねクリップ要素３ｂにある。クリップ要素、および特に３ｉは、ねじ／ボルトのソケットに挿入されるときに実質的にトルク力のラインより下であり、接続されたボルトまたはねじを係合したままにするために曲げ力のみを使用する位置に保持されるからであり、ソケットドライバ先端３ｃおよびその側壁３ｐを含むソケットドライバ要素３ｄの外壁を、主にトルク力を受けるようにする。当然、使用されている金属の弾性物性に応じて、スリット寸法および形状および寸法および形状は、望ましいばね効果および張力を最適化するように構成される。
【００６４】
図２Ｆ‐２Ｇに関し、追加の実施形態では、複数のスリットは、ばねクリップドライバツール３のシャフト本体３ａに構成されることができ、ソケットドライバ要素３ｄに延び、ばねクリップドライバツール３によるボルト／ねじのソケットの複数の内側側壁の複数面係合のための複数のばねクリップ要素３ｂを機械加工するようになっている。ソケット要素先端部３ｃは、なおもソリッドコアを維持し、それがばねクリップドライバツール３のこの実施形態の最初の駆動要素としてなおも主に機能できるようにしている。変わり得る数のばねクリップ要素を、ソケットの寸法および使用されるねじ／ボルトの長さおよび重さに応じて、それぞれの改良されたドライバに組み込むことができる。
【００６５】
図２Ｂに関し、ねじまたはボルト４は、ヘッド部４ａ、ソケット４ｂ、ねじシャフト４ｃ、非ねじシャフト４ｄ、ソケット内側側壁４ｅ、およびソケットフロア４ｅを含むことができる。他の設計要素、特徴または構成を使用可能である。
【００６６】
ばねクリップソケットドライバツールの改良されたこの設計は、改良されたドライバの駆動要素にかかる２つの応力（摩擦係合および駆動）の部分的分離を可能とし、駆動要素のばねクリップ要素は、ねじ／ボルトのヘッドのソケットの内側側壁に主に摩擦係合する（直接係合によって）働きをし、駆動要素のソリッドコア端部は、ねじ／ボルトを主に動かす働きをする。この改良された設計は、その特有のばねクリップドライバ要素の繰り返される摩擦直接係合を可能とし、それは、複数のねじ／ボルトの変わり得る深さの多角形形状または一様な円形形状ソケットへの改良されたドライバツールの最初の摩擦係合のために繰り返される応力を受けるときに、永久的に崩壊しない。この改良されたドライバツールの設計は、ここに記載されるばねクリップソケットドライバツールを利用する複数のねじ／ボルトの繰り返される駆動（ねじ込み）と、ねじ／ボルトの駆動が成し遂げられたときに、前記のソケットからの簡単で迅速な取り外しと、も可能にする。
【００６７】
本発明の実施形態の前述の説明は、例証および説明のために提示された。網羅するまたは開示されたその形態に本発明を限定するものではない。当業者には当然のことながら、上記の教示に照らして、多くの修正、変化、置換、変更、および等価物が可能である。従って、添付の「特許請求の範囲」は、本発明の真の趣旨に含まれるそのような修正および変更の全てをカバーすることが意図されている。
【図１Ｂ】
2016518260.tif 000003
【図１Ｃ】
2016518260.tif 000004
【図１Ｄ】
2016518260.tif 000005
【図１Ｅ】
2016518260.tif 000006
【図１Ｆａ】
2016518260.tif 000007
【図１Ｆｂ】
2016518260.tif 000008
【図１Ｇ】
2016518260.tif 000009
【図１Ｈ】
2016518260.tif 000010
【図１Ｉ】
2016518260.tif 000011
【図１Ｊ】
2016518260.tif 000012
【図２Ａ】
2016518260.tif 000013
【図２Ｂ】
2016518260.tif 000014
【図２Ｃ】
2016518260.tif 000015
【図２Ｄ】
2016518260.tif 000016
【図２Ｅ】
2016518260.tif 000017
【図２Ｆ】
2016518260.tif 000018
【図２Ｇ】
2016518260.tif 000019
【図１Ａ】
2016518260.tif 000020
【国際調査報告】
2016518260.tif 000021
2016518260.tif 000022